(57)【要約】【課題】悪臭や有毒ガスが発生せず、化学物質過敏症を誘発しない接着剤及びこのような接着剤を噴射するのに適した噴射ノズルを提供することである。【解決手段】１０重量％〜８０重量％の炭化植物の粉末からなる第１成分と、２０重量％〜９０重量％の植物から生成される接着剤の水溶液からなる第２成分とを含むことを特徴とする接着剤。第２成分の接着剤の水溶液は、コーンスターチ、小麦粉、にかわ、又はふのりのいずれかの水溶液である。第１成分は、酸化鉄、金、銀、銅、アルミニウム、ニッケル、鉄、又はプラスチックのうちいずれかの物質の粉末を含んでもよい。【選択図】  図１
2004155798.tif 000002
【特許請求の範囲】
【請求項１】
１０重量％〜８０重量％の炭化植物の粉末からなる第１成分と、
２０重量％〜９０重量％の植物から生成される接着剤の水溶液からなる第２成分と、
を含むことを特徴とする炭化植物を含んだ接着剤。
【請求項２】
前記接着剤の水溶液が、コーンスターチ、小麦粉、にかわ、又はふのりのいずれかの水溶液であることを特徴とする請求項２に記載の炭化植物を含んだ接着剤。
【請求項３】
前記第１成分の含有量が７０重量％〜８０重量％であり、前記第２成分の含有量が２０重量％〜３０重量％であることを特徴とする請求項１又は２に記載の炭化植物を含んだ接着剤。
【請求項４】
酸化鉄、金、銀、銅、アルミニウム、ニッケル、鉄、又はプラスチックのうちいずれかの物質の粉末が前記第１成分に含まれることを特徴とする請求項１から３までのいずれか１項に記載の炭化植物を含んだ接着剤。
【請求項５】
接着剤用の噴射ノズルであって、
円錐形の端部を有する内管部分を備え、該内管部分の内部に、接着剤の水溶液からなる第２成分を通すための第１管路が配置され、該第１管路の一端が、前記内管部分の円錐形の端部の先端の開口のところに位置しており、
前記内管部分と相似形に形作られ、所定間隔を隔てて前記内管部分を被覆する外管部分を更に備え、該外管部分の円錐形の端部の先端が開口しており、
前記内管部分と前記外管部分との間の隙間に、炭化植物の粉末からなる第１成分を通すための第２管路が配置されている、
ことを特徴とする噴射ノズル。
【請求項６】
前記所定間隔が２０ｍｍ〜４０ｍｍであることを特徴とする請求項５に記載の噴射ノズル。
【請求項７】
前記第２管路の先端が、前記外管部分又は前記内管部分に向かって湾曲していることを特徴とする請求項５又は６に記載の噴射ノズル。
【請求項８】
前記第２管路の先端が、噴射ノズルの長さ方向軸線に対して一定角度をなして配置されていることを特徴とする請求項５又は６に記載の噴射ノズル。
【発明の詳細な説明】
【０００１】
【発明の属する技術分野】
本発明は一般に、炭化植物を含んだ接着剤及び該接着剤用の噴射ノズルに関する。ここで、本明細書において使用される語「炭化植物」とは、木、草、籾殻、そば殻等の植物を焼成して得られる炭化物をいう。
【０００２】
【従来の技術】
合板、ベニヤ板、床上げ材、幅木材、額縁材、壁紙及び建具材等の建築資材、家具及び調度品等の家財道具を製造する際に接着剤が使用される。また、自動車、航空機、船舶等の内装仕上げ用にも接着剤が使用される。さらに、日用雑貨、玩具等にも接着剤が使用されているものがある。従来、これらの接着剤として、ボンド等の化学合成物質系の接着剤が用いられている例が多い。
【０００３】
【発明が解決しようとする課題】
しかしながら、このような化学合成物質系の接着剤は、悪臭が出るものがある上、火災時に有毒ガスが発生するおそれがある。また、化学合成物質系の接着剤は、化学物質過敏症の一因となる。さらに、化学合成物質系の接着剤は、発火の原因となる他、揮発性のものは、人体に悪影響を及ぼすことがある。
【０００４】
したがって、本発明は、悪臭や有毒ガスが発生せず、化学物質過敏症を誘発せず、発火の原因ともならず、人体に悪影響を及ぼすこともない、新規な接着剤、及び、このような接着剤を噴射するのに適した噴射ノズルを提供することを目的としている。
【０００５】
【課題を解決するための手段】
本願請求項１に記載の炭化植物を含んだ接着剤は、１０重量％〜８０重量％の炭化植物の粉末からなる第１成分と、２０重量％〜９０重量％の植物から生成される接着剤の水溶液からなる第２成分とを含むことを特徴とするものである。
【０００６】
本願請求項２に記載の炭化植物を含んだ接着剤は、前記請求項１の接着剤において、前記接着剤の水溶液が、コーンスターチ、小麦粉、にかわ、又はふのりのいずれかの水溶液であることを特徴とするものである。
【０００７】
本願請求項３に記載の炭化植物を含んだ接着剤は、前記請求項１又は２の接着剤において、前記第１成分の含有量が７０重量％〜８０重量％であり、前記第２成分の含有量が２０重量％〜３０重量％であることを特徴とするものである。
【０００８】
本願請求項４に記載の炭化植物を含んだ接着剤は、前記請求項１から３までのいずれか１項の接着剤において、酸化鉄、金、銀、銅、アルミニウム、ニッケル、鉄、又はプラスチックのうちいずれかの物質の粉末が前記第１成分に含まれることを特徴とするものである。
【０００９】
本願請求項５に記載の接着剤用の噴射ノズルは、円錐形の端部を有する内管部分を備え、該内管部分の内部に、接着剤の水溶液からなる第２成分を通すための第１管路が配置され、該第１管路の一端が、前記内管部分の円錐形の端部の先端の開口のところに位置しており、前記内管部分と相似形に形作られ、所定間隔を隔てて前記内管部分を被覆する外管部分を更に備え、該外管部分の円錐形の端部の先端が開口しており、前記内管部分と前記外管部分との間の隙間に、炭化植物の粉末からなる第１成を通すための第２管路が配置されていることを特徴とするものである。
【００１０】
本願請求項６に記載の接着剤用の噴射ノズルは、前記請求項５のノズルにおいて、前記所定間隔が２０ｍｍ〜４０ｍｍであることを特徴とするものである。
【００１１】
本願請求項７に記載の接着剤用の噴射ノズルは、前記請求項５又は６のノズルにおいて、前記第２管路の先端が、前記外管部分又は前記内管部分に向かって湾曲していることを特徴とするものである。
【００１２】
本願請求項８に記載の接着剤用の噴射ノズルは、前記請求項５又は６のノズルにおいて、前記第２管路の先端が、噴射ノズルの長さ方向軸線に対して一定角度をなして配置されていることを特徴とするものである。
【００１３】
【発明の実施の形態】
次に図面を参照して、本発明の好ましい実施の形態に係る炭化植物を含んだ接着剤及びこのような接着剤用の噴射ノズルについて詳細に説明する。本発明の接着剤の第１成分は、炭化植物である。炭化植物とは、上述のように、植物を焼成することによって得られる炭化物である。炭化植物の基となる植物には、木、草等のあらゆる植物の他、籾殻、そば殻、木クズ、解体材等も含まれる。
【００１４】
第１成分の好ましい含有量は、約１０重量％〜約８０重量％であり、最も好ましい含有量は、約７０重量％〜約８０重量％である。また、炭化植物は、後述するように噴射作業に都合の良いように、粒径が０．００１ｍｍ〜０．１ｍｍの粉末に粉砕される。なお、植物の焼成温度は、６０°Ｃ以上が好ましい。これは、植物に付着した菌を殺すためである。
【００１５】
本発明の接着剤の第２成分は、植物から生成される接着剤であり、例えば、コーンスターチ、小麦粉、にかわ、ふのり等の水溶液があげられる。第２成分の好ましい含有量は、約２０重量％〜約９０重量％であり、最も好ましい含有量は、約２０重量％〜約３０重量％である。
【００１６】
上述の第１成分と第２成分とを混合させることによって、本発明の接着剤が生成される。
【００１７】
次に、上述の接着剤を使用する際に用いる噴射ノズルについて説明する。図１において全体として参照符号１０で示される噴射ノズルは、円錐形の端部を有する内管部分１２を備えている。内管部分１２の円錐形の端部の先端１２ａは、開口している。内管部分１２の内部には、第２成分を通すための第１管路１４が配置されており、第１管路１４の一端が内管部分１２の円錐形の端部の先端１２ａに位置し、第１管路１４の他端が第２成分貯蔵タンク１６（図３参照）まで延びている。
【００１８】
噴射ノズル１０は又、内管部分１２と相似形に形作られ、内管部分１２を被覆する外管部分１８を備えている。内管部分１２と外管部分１８との間隔ｗは好ましくは、約２０ｍｍ〜約４０ｍｍであり、最も好ましくは約３０ｍｍである。外管部分１８の円錐形の端部の先端１８ａは、開口している。
【００１９】
内管部分１２と外管部分１８との間の隙間には、第１成分を通すための第２管路２０が配置されている。第２管路２０の先端２０ａは、図２（ａ）に最も良く示されるように、外管部分１８に向かって湾曲している。或いは、第２管路２０の先端２０ａを、図２（ｂ）に示されるように、内管部分１２に向かって湾曲させてもよい。或いは、第２管路２０の先端２０ａを真っ直に形成し、先端２０ａが外管部分１８の方へ向かうように配置してもよく（図２（ｃ）参照）、先端２０ａが内管部分１８の方へ向かうように配置してもよい（図示せず）。或いは、図２（ｄ）に示されるように、第２管路２０の先端２０ａが、噴射ノズル１０の長さ方向軸線（一点鎖線で図示）に対して角度αをなして配置されるように構成してもよい。
【００２０】
第２管路２０を上述のように形成し或いは配置することにより、第２管路２０の先端２０ａから噴射した第１成分が、内管部分１２と外管部分１８との間の隙間を乱反射し或いは旋回しながら外管部分１８の端部の先端１８ａに到達するので、第１成分と第２成分との混合が良好に行われる。
【００２１】
第２管路２０の他端は、図３に示されるように、第１成分貯蔵タンク２２まで延びており、第２管路２０には、コンプレッサが介在されている。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
例えば、前記実施の形態では、接着剤は、第１成分と第２成分とを含んでいるが、第１成分に、酸化鉄、金、銀、銅、アルミニウム、ニッケル、鉄、プスラチック等の粉末（好ましくは、粒径０．００１ｍｍ〜０．１ｍｍ）を混合してもよい。これらを混合させることにより、電磁波の抑制効果が期待できる。例えば、これらを混合させた接着剤をブラインドの一面に塗布することにより、当該ブラインドに電磁抑制効果が期待できる。
【００２４】
【発明の効果】
接着剤に含まれる炭素が化学物質を吸着する作用を有するので、本発明の接着剤を化学物質過敏症対策に使用することができる。また、本発明の接着剤を使用した建築資材等は、悪臭がせず、火災時に有毒ガスが発生するおそれもなく、人体に悪影響を及ぼすこともない。また、護岸工事等において、施工済みのコンクリート護岸壁面に本発明の接着剤を発泡することにより、河川の浄化を図り、コンクリートからアルカリ成分が流出するのを阻止することができる。また、本発明の接着剤に酸化鉄等の粉末を混合することにより、電磁波の抑制効果が期待できる。さらに、本発明の噴射ノズルでは、２つの成分、即ち第１成分と第２成分の混合を良好に行うことができる。
【図面の簡単な説明】
【図１】本発明の好ましい実施の形態に係る接着剤噴射ノズルを示した概略断面図である。
【図２】（ａ）は図１の部分Ａの拡大図、（ｂ）は図１の部分Ａの変形形態の拡大図、（ｃ）は図１の部分Ａの別の変形形態の拡大図、（ｄ）は図１の線Ｂ−Ｂから見た拡大平面図である。
【図３】接着剤噴射システムを示した全体図である。
【符号の説明】
１０  噴射ノズル
１２  内管部分
１４  第１管路（第２成分用）
１８  外管部分
２０  第２管路（第１成分用）
【図１】
2004155798.tif 000003
【図２】
2004155798.tif 000004
【図３】
2004155798.tif 000005